(57)【特許請求の範囲】
【請求項１】
ケーシングの前面又は上面の吸込口とケーシングの内部に設けたクロスフローファンとの間に熱交換器を配置した空気調和機において、熱交換器（５）を、ケーシング前面（１ａ）とクロスフローファン（４）との間でドレンパン（６）上にほぼ直立する第１熱交換器（７）と、この第１熱交換器（７）の上側に連設され、且つ後方へ傾斜した第２熱交換器（８）とにより構成し、第１熱交換器（７）よりも第２熱交換器（８）の前後厚さを厚く形成して成り、さらに第２熱交換器（８）の下端前部（８ｃ）が、ほぼ第１熱交換器（７）の前面（７ｃ）に揃うように斜めにカットされていることを特徴とする空気調和機。
【請求項２】
伝熱管（７ｂ）（８ｂ）が、第１熱交換器（７）では１列に、第２熱交換器（８）では前後２列に配列されていることを特徴とする請求項１の空気調和機。
【発明の詳細な説明】
【０００１】
【発明の属する技術分野】
この発明は空気調和機に関し、詳しくは空気調和機における熱交換器の構造に関するものである。
【０００２】
【従来の技術】
従来の空気調和機（例えば実開昭６４−５３８１８号公報）について、図２に基づいて説明する。図２は空気調和機の室内ユニットにおける縦断面図である。図において、５１は箱形のケーシングであり、このケーシング５１の上面に吸込口５２を、前面下部に吹出口５３をそれぞれ形成すると共に、ケーシング５１の内部下方にはクロスフローファン５４を設け、上記吸込口５２とクロスフローファン５４との間に、並列配置した多数の冷却フィン５５ａ、５５ａ・・に伝熱管５５ｂを往復して貫通させてなる熱交換器５５を配置している。そしてクロスフローファン５４により吸込口５２から吸い込んだ空気を、熱交換器５５で熱交換し、吹出口５３から吹き出すようにしている。さらにこの空気調和機では、熱交換器５５を後方へ傾斜させることにより、ケーシング５１の高さを抑えてコンパクト化を図っている。
【０００３】
【発明が解決しようとする課題】
このように熱交換器５５を傾斜させると、熱交換器５５の水平投影面積が増すから、ケーシングの奥行き寸法が増すことになり、ケーシングの薄形化を進めることができない。また熱交換器５５の表面に生じた結露は、本来下側に配置されたドレンパン５６に全て回収されるのであるが、熱交換器５５が傾斜しているため、ドレン水は熱交換器５５の背面側に集まり、このドレン水が背面を伝ってクロスフローファン５４の付近まで下降してきたときに、熱交換器５５を通過する空気流により飛散し、これが吹出口５３から霧状になって吹き出されるという問題がある。この問題を解決するために、図２の空気調和機では、熱交換器５５の前面下部を閉塞して空気流の流入を阻止するようにしているが、これでは別途に閉塞部材５７が必要となり、製造コストの上昇を招く。
【０００４】
この発明は上記従来の欠点を解決するためになされたものであって、その目的は、基本的には熱交換器の傾斜配置という構成を採用してケーシング高さを抑えながら、ケーシングの奥行き寸法を短くしてケーシングの薄形化を図ると共に、熱交換器に閉塞部材を設けることなくドレン水の吹き出しを防止できる空気調和機を提供することにある。
【０００５】
【課題を解決するための手段】
そこで請求項１の空気調和機は、ケーシングの前面又は上面の吸込口とケーシングの内部に設けたクロスフローファンとの間に熱交換器を配置した空気調和機において、熱交換器５を、ケーシング前面１ａとクロスフローファン４との間でドレンパン６上にほぼ直立する第１熱交換器７と、この第１熱交換器７の上側に連設され、且つ後方へ傾斜した第２熱交換器８とにより構成し、第１熱交換器７よりも第２熱交換器８の前後厚さを厚く形成して成り、さらに第２熱交換器８の下端前部８ｃが、ほぼ第１熱交換器７の前面７ｃに揃うように斜めにカットされていることを特徴としている。
【０００６】
この空気調和機では、第２熱交換器８の傾斜配置によりケーシング高さが抑えられる。ケーシング１の奥行き寸法を支配するクロスフローファン前後の空間ではクロスフローファン４の前側に第１熱交換器７が配置されるが、この第１熱交換器７は直立しており、且つ第２熱交換器８よりも薄く形成されているから、それだけケーシング１の奥行き寸法は短くなる。また第１熱交換器７は直立するから、ドレン水がクロスフローファン４の付近で冷却フィンのほぼ全面を伝って均一に降下することになり、空気流に飛散されることなくドレンパン６に集められる。また、この空気調和機では、例えば両熱交換器７、８を連設部において背面が一致するように配置したときには、第２熱交換器８の下端前部８ｃがほぼ第１熱交換器７の前面７ｃに揃えられるので、さらにケーシング１の奥行き寸法は短くなる。
【０００７】
また請求項２の空気調和機は、請求項１の空気調和機において、伝熱管７ｂ、８ｂが、第１熱交換器７では１列に、第２熱交換器８では前後２列に配列されていることを特徴としている。
【０００８】
この空気調和機では、配列数の差に応じて第１熱交換器７よりも第２熱交換器８の方が厚くなる。また単位面積あたりの熱交換容量は第１熱交換器７よりも第２熱交換器８の方が大きくなるが、クロスフローファン４との距離は第１熱交換器７よりも第２熱交換器８の方が離れるので、各熱交換器７、８による熱交換が均一に行われる。
【００１１】
【発明の実施の形態】
次にこの発明の空気調和機の具体的な実施形態について、図面を参照しつつ詳細に説明する。図１はこの発明の一実施形態であって、空気調和機の室内ユニットにおける縦断面図である。
【００１２】
図において、１は箱形のケーシングであり、このケーシング１の前面１ａにおける上部に吸込口２を、下部に吹出口３をそれぞれ形成すると共に、ケーシング１の内部下方にはクロスフローファン４を設け、上記吸込口２とクロスフローファン４との間に熱交換器５を配置している。そしてクロスフローファン４により吸込口２から吸い込んだ空気を、熱交換器５で熱交換し、吹出口３から吹き出すようにしている。
【００１３】
上記熱交換器５は、ケーシング前面１ａとクロスフローファン４との間においてドレンパン６上に直立する第１熱交換器７と、この第１熱交換器７の上側に連設され、且つ後方へ傾斜した第２熱交換器８とにより構成されている。第１熱交換器７は、横方向（図の紙面に垂直な方向）に並列配置した多数の冷却フィン７ａ、７ａ・・に伝熱管７ｂを往復、貫通させてなり、この第１熱交換器７を図のように縦に断面して側方からみると、伝熱管７ｂが１列だけ配列されている。一方、第２熱交換器８は、横方向に並列配置した多数の冷却フィン８ａ、８ａ・・に伝熱管８ｂ、８ｂを往復、貫通させてなり、この第２熱交換器８を図のように縦に断面して側方からみると、伝熱管８ｂが前後２列に配列されている。したがって第１熱交換器７よりも第２熱交換器８の方が前後厚さが厚く形成されている。また両熱交換器７、８は、連設部において背面が一致するように配置されているが、第２熱交換器８の下端前部８ｃが、ほぼ第１熱交換器７の前面７ｃに揃うように斜めにカットされている。なお９はクロスフローファン４用の舌部である。
【００１４】
上記構成の空気調和機では、第２熱交換器８の傾斜配置によりケーシング高さが抑えられる。またケーシング１の奥行き寸法を支配するクロスフローファン前後の空間ではクロスフローファン４の前側に第１熱交換器７が配置されるが、この第１熱交換器７は直立しており、且つ第２熱交換器８よりも薄く形成されているから、それだけケーシング１の奥行き寸法は短くなり、薄形化できる。さらに第２熱交換器８のドレン水は冷却フィン８ａを伝って第１熱交換器７へと降下するから、これら両熱交換７、８のドレン水はクロスフローファン４の付近では第１熱交換器７の冷却フィン７ａを伝って降下していく。その場合、第１熱交換器７は直立しているから、ドレン水が第１熱交換器７の冷却フィン７ａのほぼ全面を伝って均一に降下することになり、空気流に飛散されることなくドレンパン６に集められる。したがって従来例のように熱交換器７に閉塞部材を設けることなくドレン水の吹き出しを防止することができ、製造コストを低減することができる。
【００１５】
また単位面積あたりの熱交換容量は第１熱交換器７よりも第２熱交換器８の方が大きくなるが、クロスフローファン４との距離は第１熱交換器７よりも第２熱交換器８の方が離れるので、各熱交換器７、８による熱交換が均一に行われ、温度差のある空気の混流による結露等を防止できる。
【００１６】
さらに第２熱交換器８の下端前部８ｃが、ほぼ第１熱交換器７の前面に揃うので、ケーシング１の奥行き寸法は更に短くなり、ケーシング１を一層薄形化することができる。
【００１７】
なお、上記実施形態ではケーシング１の前面１ａに吸込口２を形成したが、吸込口をケーシングの上面に形成したもの、前面及び上面の両方に形成したものについても本発明を適用することができる。また上記実施形態ではケーシング１の前面１ａに吹出口３を形成したが、吹出口をケーシングの底面に形成したもの、前面及び底面の両方に形成したものについても本発明を適用することができる。
【００１８】
【発明の効果】
以上のように請求項１の空気調和機では、第２熱交換器の傾斜配置によりケーシング高さを抑え、第１熱交換器の直立配置及び薄形化によりケーシングの奥行き寸法を短くしたので、ケーシングを低くしながら薄形化できる。またドレン水がクロスフローファンの付近で第１熱交換器の冷却フィンのほぼ全面を伝って均一に降下するから、熱交換器に閉塞部材を設けることなくドレン水の吹き出しを防止することができ、製造コストを低減することができる。また、第２熱交換器の下端前部が、ほぼ第１熱交換器の前面に揃うように斜めにカットされているので、さらにケーシングの奥行き寸法が短くなり、ケーシングを薄形化できる。
【００１９】
また請求項２のようにすれば、第１熱交換器及び第２熱交換器による熱交換が均一に行われ、温度差のある空気の混流による結露等を防止できる。
【図面の簡単な説明】
【図１】この発明の空気調和機の一実施形態の縦断面図である。
【図２】従来例を説明するための縦断面図である。
【符号の説明】
１  ケーシング
１ａ  前面
２  吸込口
４  クロスフローファン
５  熱交換器
６  ドレンパン
７  第１熱交換器
７ｂ  伝熱管
７ｃ  前面
８  第２熱交換器
８ｂ  伝熱管
８ｃ  下端前部
【図１】
0003612846.tif 000002
【図２】
0003612846.tif 000003